(57)【要約】【課題】廃液受け部材の清掃を容易化する。【解決手段】廃液受け部材１６Ａ，１６Ｂは、コンベア１１の幅方向の中央部でかつ長さ方向に延びる各支持部材１９Ａ，１９Ｂにより、廃液を受けるための第１の閉位置と、この第１の閉位置から下方に変位した廃液受け部材１６Ａ，１６Ｂを洗浄等するための第２の開位置との間で回転可能に支持されている。そして、廃液受け部材は、支持部材１９Ａ，１９Ｂを基準として対称な形状でコンベア１１の幅方向に分割された第１の回収箱１６Ａと第２の回収箱１６Ｂとを有し、これら第１及び第２の回収箱１６Ａ，１６Ｂは、支持部材１９Ａ，１９Ｂを中心として第１の閉位置から第２の開位置に向けて互いに相反する方向Ｒ１，Ｒ２に回転可能に支持される。また、第１及び第２の回収箱１６Ａ，１６Ｂの各底部は、中央部の支持部材１９Ａ，１９Ｂから幅方向の各端部に向けて下方に傾斜して形成されている。【選択図】      図２
2005112591.tif 000002
【特許請求の範囲】
【請求項１】
上方に位置する装置から落ちる液滴を回収する箱状の廃液受け部材と、
前記廃液受け部材を、前記液滴を受けるための第１の位置と、当該第１の位置から下方に変位した第２の位置との間で回転可能に支持する支持部材とを具備することを特徴とする廃液回収装置。
【請求項２】
前記廃液受け部材は、前記支持部材を中心として相反する方向に回転可能に支持される第１の回収箱と第２の回収箱とに分割された構造を有し、前記各回収箱の底部が前記支持部材から端部に向けて下方に傾斜して形成されていることを特徴とする請求項１に記載の廃液回収装置。
【請求項３】
前記廃液受け部材の底部には前記液滴を排出する排出口が形成されており、当該排出口には前記廃液受け部材の第１の位置でフレキシブルなホースが連結されると共に、当該ホースを取り外すことにより前記廃液受け部材を第２の位置に回転可能とされることを特徴とする請求項１又は２に記載の廃液回収装置。
【請求項４】
前記廃液受け部材を第１の位置に保持する係止部材を更に備えることを特徴とする請求項１乃至３のいずれか１項に記載の廃液回収装置。
【請求項５】
前記液滴は、水、温水、又は洗浄剤と水の混合液を含むことを特徴とする請求項１乃至４のいずれか１項に記載の廃液回収装置。
【請求項６】
物体を搬送するコンベアと、
前記コンベアの下方に設けられ、当該コンベアから落ちる液滴を受ける廃液受け部材と、
前記廃液受け部材を、前記液滴を受けるための第１の位置と、当該第１の位置から下方に変位した第２の位置との間で回転可能に支持する支持部材とを具備することを特徴とするコンベア装置。
【請求項７】
前記コンベアに洗浄液を吹きかけるノズルを更に備え、
前記廃液受け部材は前記ノズルから噴射された洗浄液を受けることを特徴とする請求項６に記載のコンベア装置。
【発明の詳細な説明】
【技術分野】
【０００１】
本発明は、例えば、洗浄されたビンやボトル等の容器をコンベアにより搬送する際に、これら容器から滴り落ちる液滴や、コンベアに付着したゴミ等を取り除くためにコンベアに吹き付けられる洗浄液等の廃液を回収する技術に関するものである。
【背景技術】
【０００２】
従来より、洗浄された容器を搬送するコンベアの下部には、容器から滴り落ちる液滴等を回収する装置が設置されている（例えば、特許文献１参照）。
【特許文献１】特許第３３３６８９９号明細書
【発明の開示】
【発明が解決しようとする課題】
【０００３】
上記従来の回収装置は平板状の部材で構成され、コンベア下部の狭い空間に設置される場合が多いため、コンベアに設置したままでの清掃は容易ではなく、また、一旦分解しないと清掃できない構造のものもある。
【０００４】
本発明は、上記課題に鑑みてなされ、その目的は、廃液受け部材の清掃を容易化できる技術を提供することである。
【課題を解決するための手段】
【０００５】
上述の課題を解決し、目的を達成するため、本発明に係る廃液回収装置は、上方に位置する装置から落ちる液滴を回収する箱状の廃液受け部材と、前記廃液受け部材を、前記液滴を受けるための第１の位置と、当該第１の位置から下方に変位した第２の位置との間で回転可能に支持する支持部材とを具備する。
【０００６】
また、好ましくは、前記廃液受け部材は、前記支持部材を中心として相反する方向に回転可能に支持される第１の回収箱と第２の回収箱とに分割された構造を有し、前記各回収箱の底部が前記支持部材から端部に向けて下方に傾斜して形成されている。
【０００７】
また、好ましくは、前記廃液受け部材の底部には前記液滴を排出する排出口が形成されており、当該排出口には前記廃液受け部材の第１の位置でフレキシブルなホースが連結されると共に、当該ホースを取り外すことにより前記廃液受け部材を第２の位置に回転可能とされる。
【０００８】
また、好ましくは、前記廃液受け部材を第１の位置に保持する係止部材を更に備える。
【０００９】
また、好ましくは、前記液滴は、水、温水、又は洗浄剤と水の混合液を含む。
【００１０】
本発明のコンベア装置は、物体を搬送するコンベアと、前記コンベアの下方に設けられ、当該コンベアから落ちる液滴を受ける廃液受け部材と、前記廃液受け部材を、前記液滴を受けるための第１の位置と、当該第１の位置から下方に変位した第２の位置との間で回転可能に支持する支持部材とを具備する。
【００１１】
また、好ましくは、前記コンベアに洗浄液を吹きかけるノズルを更に備え、前記廃液受け部材は前記ノズルから噴射された洗浄液を受ける。
【発明の効果】
【００１２】
以上説明したように、本発明によれば、廃液受け部材の清掃を容易化でき、清潔な環境を維持できる。
【発明を実施するための最良の形態】
【００１３】
以下に、本発明の実施の形態について、添付図面を参照して詳細に説明する。
尚、以下に説明する実施の形態は、本発明の実現手段としての一例であり、本発明は、その趣旨を逸脱しない範囲で下記実施形態を修正又は変形したものに適用可能である。
【００１４】
図１は、本発明に係る実施形態の回収装置を含むコンベア装置を示す上面図（ａ）及び側面図（ｂ）である。図２は、本実施形態の回収装置を含むコンベア装置を示す側面図であり、（ａ）は廃液受け部材の第１の位置である閉状態、（ｂ）は廃液受け部材の第２の位置である開状態を示している。図３は、本実施形態の回収装置を含むコンベア装置を示す斜視図であり、（ａ）は廃液受け部材の第１の位置である閉状態、（ｂ）は廃液受け部材の第２の位置である開状態を示している。
【００１５】
図１に示すように、本実施形態のコンベア装置は、例えば、搬送方向Ｓ上流側の洗浄工程で洗浄されたビンやボトル等の空容器Ｗを、下流側の工程に搬送するために設けられ、エンドレスのコンベア１１が巻回された上流端及び下流端のスプロケット１２，１３の一方が不図示の駆動モータにより駆動されて一方向に回転する。
【００１６】
このコンベア１１は、中央下部１１ａが幅方向（Ｙ方向）に亘って下方に迂回して張り出したように構成されており、その張り出した部分の内周空間にはコンベア１１に洗浄液を吹き付けるための洗浄ノズル１４が設けられている。洗浄ノズル１４はコンベア１１の幅方向に複数配列され、コンベア１１の内周側から洗浄液として水、温水、又は洗浄剤と水の混合液を噴射してコンベア１１に付着したゴミ等を取り除く機能を持つ。
【００１７】
上記コンベア１１の下方には、上記コンベア１１の中央下部１１ａに隙間を空けて両側に平板状の廃液案内部材１５が固定して取り付けられている。この廃液案内部材１５は、少なくともコンベア１１の幅方向の寸法及び長さ（搬送）方向（Ｘ方向）の両端部よりも大きく形成され、コンベア１１の長さ方向の両端部から中央下部に向けて下向きに傾斜するように配置されている。
【００１８】
更に、これら廃液案内部材１５の中央側の端部の下方には、上方が開口した箱体状の廃液受け部材１６Ａ，１６Ｂが設けられている。この廃液受け部材１６Ａ，１６Ｂは、少なくともコンベア１１の幅方向の寸法より大きく、かつ長さ方向は廃液案内部材１５の中央側の端部の間の離間距離より大きく形成されている。
【００１９】
そして、コンベア１１上の容器Ｗから滴り落ちる洗浄時の残りの液滴や洗浄ノズル１４から噴射された洗浄液等の廃液は、廃液案内部材で受けると共に、中央側の端部に流れていき、最終的に廃液受け部材１６Ａ，１６Ｂに集められる。
【００２０】
廃液受け部材１６Ａ，１６Ｂの底部は、長さ方向の両端部から中央部に向けて下方に傾斜して全体として凹状に形成されており、また、中央部には外部に通じる排水管１７が接続される孔が形成されている。上記構成により、廃液案内部材１５から廃液受け部材１６Ａ，１６Ｂに集められた廃液が中央部の凹部に集まりやすくなり、排水管１７を通って外部に排出される。上記排水管１７には、フレキシブルなホース１８が着脱可能に連結されている。排水管１７とホース１８とは伸縮自在なゴム等の継ぎ手により接続され、容易に取り外しできるように接続される。
【００２１】
図２及び図３に示すように、上記廃液受け部材１６Ａ，１６Ｂは、コンベア１１の幅方向の中央部でかつ長さ方向に延びる各支持部材１９Ａ，１９Ｂにより、上記廃液を受けるための第１の閉位置（図２（ａ）及び図３（ａ））と、この第１の閉位置から下方に変位した上記廃液受け部材１６Ａ，１６Ｂを洗浄等するための第２の開位置（図２（ｂ）及び図３（ｂ））との間で回転可能に支持されている。そして、廃液受け部材は、上記支持部材１９Ａ，１９Ｂを基準として対称な形状でコンベア１１の幅方向に分割された第１の回収箱１６Ａと第２の回収箱１６Ｂとを有し、これら第１及び第２の回収箱１６Ａ，１６Ｂは、上記支持部材１９Ａ，１９Ｂを中心として第１の閉位置から第２の開位置に向けて互いに相反する方向Ｒ１，Ｒ２に回転可能に支持される。また、第１及び第２の回収箱１６Ａ，１６Ｂの各底部は、中央部の支持部材１９Ａ，１９Ｂから幅方向の各端部に向けて下方に傾斜して形成されている。
【００２２】
支持部材１９Ａ，１９Ｂは、コンベア装置のフレームの一部に固定されたマウント２４と回転軸２５とを備え、第１及び第２の回収箱１６Ａ，１６Ｂを回転可能に軸支する。
【００２３】
図３に示すように、第１及び第２の回収箱１６Ａ，１６Ｂは環状の止め具２１をコンベア装置の側壁部２２から突出するフック２３等に係止することによって第１の閉位置に保持される。また、第１の閉位置でフレキシブルなホース１８が排水管１７に連結されると共に、当該ホース１８を取り外すことにより第２の開位置に回転可能となる。
【００２４】
上記実施形態によれば、廃液受け部材１６Ａ，１６Ｂを分割して構成し、各部を開閉可能に支持したので、廃液受け部材の清掃を容易化でき、清潔な環境を維持できる。
【産業上の利用可能性】
【００２５】
以上説明した回収装置は、ビンやボトル等の洗浄工程に供されるだけでなく、例えば、落下物等として液体を受けとめるような他の用途にも適用可能である。
【図面の簡単な説明】
【００２６】
【図１】本発明に係る実施形態の回収装置を含むコンベア装置を示す上面図（ａ）及び側面図（ｂ）である。
【図２】本実施形態の回収装置を含むコンベア装置を示す側面図であり、（ａ）は廃液受け部材の第１の位置である閉状態、（ｂ）は廃液受け部材の第２の位置である開状態を示す図である。
【図３】本実施形態の回収装置を含むコンベア装置を示す斜視図であり、（ａ）は廃液受け部材の第１の位置である閉状態、（ｂ）は廃液受け部材の第２の位置である開状態を示す図である。
【符号の説明】
【００２７】
１１  コンベア
１２，１３  スプロケット
１４  洗浄ノズル
１５  廃液案内部材
１６Ａ，１６Ｂ  廃液受け部材（第１の回収箱、第２の回収箱）
１７  排水管
１８  フレキシブルホース
１９Ａ，１９Ｂ  支持部材
２１  止め具
２３  フック
Ｗ  容器
３  第２の配管
１１  ビール供給ポンプ
１２  配管
１３  ビール樽
１４  回転テーブル
【図１】
2005112591.tif 000003
【図２】
2005112591.tif 000004
【図３】
2005112591.tif 000005